(57)【要約】【課題】炊飯器の器体肩部の内鍔に対する外容器のバヨネット結合を簡単に行えるようにしつつ、取り付けられた外容器の回転を防ぐ。【解決手段】上端開放状の器体１の肩部１ａの内周に内鍔１１を設け、内鍔１１に上端開放状の外容器３をバヨネット結合させ、外容器３がバヨネット結合された状態で差し込み部３２ａの貫通孔３３と内鍔１１の凹穴１１ｊとに一連で挿入される１本の回り止め部材１４を設け、凹穴１１ｊの内面に対して螺着されるようにした。取り付けられた外容器３の回転は回り止め部材１４により防止され、その結果、内鍔１１の受け部と差し込み部３２ａ〜３２ｄとの間に設ける締め代を緩く設定することが可能になる。【選択図】図４
2007301009.tif 000002
【特許請求の範囲】
【請求項１】
上端開放状の器体の肩部内周に内鍔を設け、前記内鍔に上端開放状の外容器をバヨネット結合させ、前記肩部と前記外容器とで前記器体に内鍋設置室を形成した炊飯器において、前記外容器の外周に突出部を設け、バヨネット結合された状態で前記突出部と前記内鍔とに一連で挿入される回り止め部材を設けたことを特徴とする炊飯器。
【請求項２】
前記回り止め部材がねじ部材からなり、前記回り止め部材を１本だけ設けた請求項１に記載の炊飯器。
【請求項３】
前記外容器に複数設けられたバヨネット結合用の差し込み部の一つを前記突出部とした請求項１又は２に記載の炊飯器。
【請求項４】
前記突出部を他の差し込み部より外側に大きくし、その回転範囲を前記内鍔の最狭小部から外れた位置に定めた請求項３に記載の炊飯器。
【発明の詳細な説明】
【技術分野】
【０００１】
この発明は、炊飯器に関し、特に器体の肩部への外容器取付け構造に関する。
【背景技術】
【０００２】
一般に、炊飯器は、上端開放状の器体と、この器体を開閉する蓋体とを備える。器体の上端部を構成する肩部の内周には内鍔が設けられている。この内鍔には上端開放状の外容器が取り付けられる。一体となった外容器と肩部により、器体に内鍋設置空間が形成される。
【０００３】
従来から、上記外容器の取付け構造には、バヨネット結合が採用されている。
【０００４】
具体的には、上記外容器に複数の差し込み部が設けられ、肩部の内鍔には、差し込み部と上下に係合する溝状の受け部が設けられている。肩部の下面を上向きにした状態で固定し、外容器の上端を下向きにして各差し込み部を内鍔下面のガイド部に載せ、外容器を一方回転させると、各差し込み部が各受け部に進入する。上記受け部と差し込み部との間には上下方向の締め代が設けられており、進入した差し込み部は受け部と上下に係合する。これら複数の係合により、外容器と肩部とがガタツキなく上下に係止される。
【０００５】
上記の構成では、外容器が内鍋設置室を形成するため、内鍋の内周壁に付着したご飯粒が杓文字で擦り取られるとき、内鍋には回転トルクが付与される。この回転トルクの一部は、内鍋から外容器に伝達する。
【０００６】
ところが、上記の回転トルクは、上下軸回りで左右いずれの向きにも付与され得るため、受け部と差し込み部間の締め代が緩い場合、差し込み部が受け部から抜ける恐れがある。
【０００７】
このため、内鍔に差し込み部の進入側回転を止める規制部を設けると共に、差し込み部と内鍔とに爪係合部を設け、差し込み部が規制部に接触する状態で受け部と係合し、さらに爪係合により外容器の抜け側回転を防止した炊飯器も提案されている（特許文献１参照）。
【０００８】
前掲の特許文献１に開示された外容器取付け構造は、爪係合部により優れた回り止め性能を得ることができるが、差し込み部及び内鍔に爪係合部の金型構造が複雑になる。
【０００９】
それ故、規制部で外容器の進入側回転を防止すると共に、差し込み部と受け部間の締め代をきつく定めることで抜け側回転を防止する構成が採用されることが多くなっている。
【００１０】
【特許文献１】実開平６−３１４号公報
【発明の開示】
【発明が解決しようとする課題】
【００１１】
しかしながら、締め代をきつく定める外容器取付け構造は、バヨネット結合に際し外容器を強い力で捻ることを強いられるので、作業者の負担が大きかった。
【００１２】
また、近年では、炊飯器の廃棄品から資源回収が求められるようになった。この際には、バヨネット結合を解除することになる。上述のように、きつい締め代の外容器取付け構造を採用した炊飯器は、解体作業性も悪い。
【００１３】
そこで、この発明の第１の課題は、炊飯器の器体肩部の内鍔に対する外容器のバヨネット結合を簡単に行えるようにしつつ、取り付けられた外容器の回転を防ぐことにあり、第２の課題は、炊飯器の解体に際して外容器を簡単に取り外すことができるようにすることにある。
【課題を解決するための手段】
【００１４】
上記第１の課題を達成するため、この発明は、上端開放状の器体の肩部内周に内鍔を設け、前記内鍔に上端開放状の外容器をバヨネット結合させ、前記肩部と前記外容器とで前記器体に内鍋設置室を形成した炊飯器において、前記外容器の外周に突出部を設け、バヨネット結合された状態で前記突出部と前記内鍔とに一連で挿入される回り止め部材を設けた構成のものである。
【００１５】
上記構成では、バヨネット結合された状態で前記突出部と前記内鍔とに一連で挿入された前記回り止め部材により取り付けられた前記外容器の回転が防止される。このため、バヨネット結合用に設けられる前記内鍔の受け部と前記外容器の差し込み部との間に設ける締め代を緩く設定することができ、その結果、前記外容器を上記従来例よりも軽い力でバヨネット結合させることができる。
【００１６】
上記第２の課題を解決するため、この発明は、上記第１の課題の解決手段に係る構成において、前記回り止め部材がねじ部材からなり、前記回り止め部材を１本だけ設けた構成を採用したものである。この構成では、ねじ部材からなる前記回り止め部材を１本だけ着脱するだけなので、前記回り止め部材の着脱を簡単に行うことができる。また、バヨネット結合の解除は、上記のように締め代が緩く設定されるので、簡単である。したがって、この発明は、炊飯器の解体に際して前記外容器を簡単に取り外すことができる。
【００１７】
上記の構成において、前記外容器に複数設けられたバヨネット結合用の差し込み部の一つを前記突出部とした構成を採用すれば、突出部と前記差し込み部を離間して設ける場合よりも前記外容器の成形が簡単になり、かつ突出部の強度を高めることができる。
【００１８】
ここで、前記突出部を他の差し込み部より外側に大きくし、その回転範囲を前記内鍔の最狭小部から外れた位置に定めた構成を採用することができる。前記突出部を他の差し込み部より外側に大きくすることにより、前記回り止め部材を大型化しつつ、前記突出部に前記差し込み部としての強度を与えることができる。前記突出部の外縁の回転半径は、他の差し込み部より大きくなるが、その回転範囲を前記内鍔の最狭小部から外れた位置に定めたため、前記肩部の大型化を防止することができる。
【発明の効果】
【００１９】
この発明は、上述のように、前記外容器の外周に突出部を設け、バヨネット結合された状態で前記突出部と前記内鍔とに一連で挿入される回り止め部材を設けた構成の採用により、炊飯器の器体肩部の内鍔に対する外容器のバヨネット結合を簡単に行えるようにしつつ、取り付けられた外容器の回転を防ぐことができる。
また、この発明は、前記回り止め部材がねじ部材からなり、前記回り止め部材を１本だけ設けた構成の採用により、炊飯器の解体に際して外容器を簡単に取り外すことができる。
また、この発明は、前記外容器に複数設けられたバヨネット結合用の差し込み部の一つを前記突出部とした構成の採用により、前記外容器の成形が簡単になり、かつ突出部の強度を高めることができる。
また、この発明は、前記突出部を他の差し込み部より外側に大きくし、その回転範囲を前記内鍔の最狭小部から外れた位置に定めた構成の採用により、前記回り止め部材を大型化しつつ、前記突出部に前記差し込み部としての強度を与え、かつ前記肩部の大型化を防止することができる。
【発明を実施するための最良の形態】
【００２０】
以下、この発明の実施形態に係る炊飯器を添付図面に基づいて説明する。
図１に示すように、実施形態に係る炊飯器は、上端開放状の器体１と、この器体１の開放部分を閉じる蓋体２とを有するものである。
【００２１】
器体１は、全体として略直方体状に形成されており、その上端部を構成する肩部１ａと、この肩部１ａと上下に嵌合される胴部１ｂと、この胴部１ｂと上下に嵌合される底部１ｃとを有する。器体１は、肩部１ａと底部１ｃが胴部１ｂを挟んで締結されることにより一体化されている。なお、肩部１ａと胴部１ｂを一体に設けることもできる。
【００２２】
上記肩部１ａは、樹脂製である。肩部１ａの側周は、図２に示すように、略矩形の環状になっている。肩部１ａの長手方向および短手方向の中間には、前記器体１の開放部分を形成する内周が形成されている。
【００２３】
図１、図２に示すように、肩部１ａの内周には、全周に亘って連続する内鍔１１が一体に設けられている。この内鍔１１に上端開放状の外容器３が取り付けられている。上記内鍔１１は、取り付けられた外容器３の側周部に沿う遮熱壁１１ａを有する。肩部１ａと外容器３とにより、前記器体１には上端開放の内鍋設置室４が形成されている。
【００２４】
肩部１ａの一短手部には、ヒンジ軸２１を介して蓋体２が開閉自在に取り付けられている。肩部１ａの他短手部は、液晶表示装置５の格納部分になっている。
【００２５】
液晶表示装置５は、液晶表示画面とその制御回路を有する表示基板５１と、表示基板５１に電源を供給する電源基板５２とを有する。表示基板５１と電源基板５２は、コネクタ部材を省略するため、各基板５１、５２の所要箇所にリード線を半田付けすることにより電気的に接続されている。
【００２６】
表示基板５１は、水平に対して肩部１ａの一短手側に位置する辺部が上側になる傾斜姿勢で肩部１ａの内面に突出するねじ穴部１２にねじ止めされている。電源基板５２は、水平姿勢で肩部１ａの内面に突出するねじ穴部１３にねじ止めされている。両基板５１、５２のパターン面は、塵埃、水滴等の付着や固化を防止するため、下側に向けられている。
【００２７】
ここで、上記表示基板５１を水平に対して傾斜させるため、ねじ穴部１２が遮熱壁１１ａ側に傾く斜め下向きに設けられている。それ故、図２中に一点鎖線で示すように、表示基板５１のねじ止めを遮熱壁１１ａの内方から実施することができるようにするため、遮熱壁１１ａに開口１１ｂが形成されている。
【００２８】
また、遮熱壁１１ａの外周には、肩部１ａと底部１ｃとを締結するための複数のねじ受け基部１１ｃが一体に設けられている。各ねじ受け基部１１ｃは、その近傍のヒケを防止するため、基部内部が格子穴１１ｄになっている。この実施形態では、ねじ受け基部１１ｃの近傍に上記開口１１ｂを配置することにより、そのねじ受け基部１１ｃの格子穴と開口１１ｂとを同一のスライド金型で形成することができるようにしている。なお、開口１１ｂは、スリット状でもよいが、遮熱壁１１ａの遮熱性能を良好にするため、可及的に小さく設けることが好ましい。
【００２９】
上記外容器３には、金属製のものが利用されている。図１に示すように、外容器３の底部には、内鍋６が載置される加熱板７が取り付けられている。
【００３０】
加熱板７と外容器３の底部との間には、加熱板７の貫通孔から突出して内鍋６の底部中央に接触するセンサ体８が上下動自在に組み込まれている。なお、外容器３の底部中央は、センサ体８の上下動空間を設けるため、開口している。
【００３１】
上記外容器３は、肩部１ａの内鍔１１に対するバヨネット結合とねじ止めとを併用することにより取り付けられている。
【００３２】
具体的には、図３、図４に示すように、外容器３の上端外周は、全周に亘って外鍔３１になっている。外鍔３１には、バヨネット結合用の差し込み部３２ａ〜３２ｄが外側に突出するように一体に設けられている。なお、外鍔３１、差し込み部３２ａ〜３２ｄの外縁は、強度を得るため、下向きの折り曲げ部となっている。
【００３３】
一方、上記肩部１ａの内鍔１１には、遮熱壁１１ａの内周と円環状の水平面とされた内周下端面１１ｅとにより、各差し込み部３２ａ〜３２ｄを回転方向に案内するガイド部が構成されている。また、内鍔１１には、内周下端面１１ｅと遮熱壁１１ａの内周から内周下端面１１ｅと対面する受け壁１１ｆ〜１１ｉとで溝状の受け部が構成されている。
【００３４】
肩部１ａの下面を上向きにした状態で固定し、外容器３の上端を下向きにして各差し込み部３２ａ〜３２ｄを内周下端面１１ｅに載せ、外容器３を一方回転させ、各差し込み部３２ａ〜３２ｄを各受け壁１１ｆ〜１１ｉと内周下端面１１ｅの間に進入させることにより、外容器３を内鍔１１にバヨネット結合させることができる。
【００３５】
図５は、差し込み部３２ｂが内周下端面１１ｅと受け壁１１ｇとの間に進入した状態を示している。図５に例示するように、内周下端面１１ｅと受け壁１１ｇ間の上下方向間隔の長さは、差し込み部３２ｂの上下方向長さより僅かに短くなっており、両長さ間の差によりバヨネット結合の締め代が設定されている。他の受け壁１１ｆ、１１ｈ、１１ｉと内周下端面１１ｅ間の上下方向間隔と他の差し込み部３２ａ、３２ｃ、３２ｄの上下方向高さの関係も同じになっている。このため、外容器３のバヨネット結合に際しては、外容器３を軽く捻ることができる。
そして、バヨネット結合された状態では、内周下端面１１ｅ及び各受け壁１１ｆ〜１１ｉと各差し込み部３２ａ〜３２ｄとが比較的緩い締め代により上下方向に係合しており、外容器３がガタツクことなく内鍔１１に係止される。
【００３６】
ここで、図４から明らかなように、差し込み部３２ａ〜３２ｄのうち、差し込み部３２ａ（上記の突出部を兼ねる）は、他の差し込み部３２ｂ〜３２ｃより外側に大きくなっている。これに伴い、遮熱壁１１ａのうち、差し込み部３２ａの外縁を案内する部分は、外方に膨出させられている。係る膨出部分は、差し込み部３２ａの回転範囲を決定しており、前記内鍔１１の最狭小部Ｗｍｉｎから外れた位置に定められている。このため、この実施形態では、略矩形状の側周を有する肩部１ａの隅部空間が有効に利用されるので、肩部１ａの幅方向の大型化を防止することができる。
【００３７】
また、上記差し込み部３２ａには、上下方向の貫通孔３３が形成されている。貫通孔３３は、外容器３がバヨネット結合された状態で受け壁１１ｆを通過し、かつ内周下端面１１ｅに形成された凹穴１１ｊと上下方向に一連となる位置にある。この連通状態の貫通孔３３と凹穴１１ｊには、ねじ部材からなる回り止め部材１４が挿入される。回り止め部材１４は、凹穴１１ｊの内面に対する螺着により着脱可能に係止される。このように、ねじ部材からなる回り止め部材１４は、１本だけに留められており、しかも挿入と係止が同時に行われるので、簡単に着脱することができる。
【００３８】
上記貫通孔３３の孔径は、回り止め部材１４に求められる強度に応じて決定される。この実施形態では、差し込み部３２ａを他の差し込み部３２ｂ〜３２ｄより外側に大きくしたため、貫通孔３３の孔径を他の差し込み部３２ｂ〜３２ｄや外鍔３１の部分に穿つ場合より大径にすることができる。また、このような大きさの貫通孔３３を差し込み部３２ａに形成しても、バヨネット結合に必要な差し込み部としての強度を与えることができる。なお、回り止め部材１４は、抜け止めが得られる限り、貫通孔３３の内周、凹穴１１ｊの内周の両方又はいずれか一方に対し螺着させればよい。また、受け壁１１ｆの上面に上下方向のねじ孔を立て、このねじ孔に回り止め部材１４を螺着させると共に、この螺着状態で回り止め部材１４の先端が貫通孔３３に挿入されるようにしてもよい。
【００３９】
また、この実施形態では、回り止め部材１４がねじ部材からなるため、ねじ回し具を用いて簡単に外すことができ、その後、遮熱壁１１ａと外容器３との間に掌を差し入れて外容器３を他方回転させると、外容器３を外すことができる。
【００４０】
さらに、この実施形態では、外容器３のバヨネット結合及びその解除を軽い力で行うことが可能なため、遮熱壁１１ａを内鍔１１と一体に設けても外容器３の着脱を支障なく行うことができ、器体１のコンパクト化、遮熱壁１１ａと肩部１ａとの一体化による部材数削減の利点を得ることができる。
【００４１】
なお、解体性を重視しない場合、回り止め部材１４は、押し込みにより挿入穴の内周に係止させられるピン部材にすることもできる。
【図面の簡単な説明】
【００４２】
【図１】実施形態に係る炊飯器の縦断面図
【図２】図１に示す肩部の下面側の斜視図
【図３】図１に示す肩部に外容器を取り付ける様子を示す斜視図
【図４】（ａ）図１に示す内鍔に外容器をバヨネット結合させる準備段階を下面視で示す組立図、（ｂ）内鍔に外容器を取り付けた状態を下面視で示す組立図
【図５】図４（ｂ）に示すＶ−Ｖ線の拡大断面図
【符号の説明】
【００４３】
１  器体
１ａ  肩部
１ｂ  胴部
１ｃ  底部
２  蓋体
３  外容器
４  内鍋設置室
５  液晶表示装置
６  内鍋
７  加熱板
８  センサ体
１１  内鍔
１１ａ  遮熱壁
１１ｂ  開口
１１ｃ  ねじ受け基部
１１ｄ  格子穴
１１ｅ  内周下端面
１１ｆ〜１１ｉ  受け壁
１１ｊ  凹穴
１２、１３  ねじ穴部
１４  回り止め部材
２１  ヒンジ軸
３１  外鍔
３２ａ  差し込み部（突出部）
３２ｂ〜３２ｄ  差し込み部
３３  貫通孔
５１  表示基板
５２  電源基板
【図１】
2007301009.tif 000003
【図２】
2007301009.tif 000004
【図３】
2007301009.tif 000005
【図４】
2007301009.tif 000006
【図５】
2007301009.tif 000007